(57)【特許請求の範囲】
【請求項１】
熱交換器（３）と、前記熱交換器（３）の側方に配置される制御ユニット（６）とを備え、
前記制御ユニット（６）の電装品箱（７）は、開口部（７０ａ）を有するケース本体（７０）と、前記ケース本体（７０）の開口部（７０ａ）の少なくとも一部分を塞ぐ蓋体（９０）とを有し、
前記ケース本体（７０）の開口部（７０ａ）の周縁には第１係合部（８０）と第２係合部（８４）とが設けられ、
前記第１係合部（８０）は、貫通孔（８３）を有し、かつ外方へ突出するものであり、
前記第２係合部（８４）は、前記開口部（７０ａ）の周縁に並列するように設けられた３つの当接部（８５〜８７）を有し、
前記蓋体（９０）は、蓋部（９１）と、前記蓋部（９１）から突出するように設けられて前記第１係合部（８０）の前記貫通孔（８３）に挿通することにより前記第１係合部（８０）に係合する第１掛部（９２）と、前記第２係合部（８４）に係合する第２掛部（９４）とを有し、
前記第２掛部（９４）は、前記第２係合部（８４）の前記３つの当接部（８５〜８７）それぞれに対応する３つの対応当接部（９５〜９７）を有し、前記３つの対応当接部（９５〜９７）のうちの中央に配置される対応当接部（９６）が、前記３つの当接部（８５〜８７）のうちの中央に配置される当接部（８６）の内面に当接し、前記３つの対応当接部（９５〜９７）のうちの両側に配置される２つの対応当接部（９５，９７）が、前記３つの当接部（８５〜８７）のうちの両側の当接部（８５，８７）の外面にそれぞれ当接することにより、前記第２係合部（８４）と前記第２掛部（９４）とが互いに係合する
空気調和機の室内機。
【請求項２】
熱交換器（３）と、前記熱交換器（３）の側方に配置される制御ユニット（６）とを備え、
前記制御ユニット（６）の電装品箱（７）は、開口部（７０ａ）を有するケース本体（７０）と、前記ケース本体（７０）の開口部（７０ａ）の少なくとも一部分を塞ぐ蓋体（９０）とを有し、
前記ケース本体（７０）の開口部（７０ａ）の周縁には第１係合部（８０）と第２係合部（８４）とが設けられ、
前記第１係合部（８０）は、貫通孔（８３）を有し、かつ外方へ突出するものであり、
前記第２係合部（８４）は、前記開口部（７０ａ）の周縁に並列するように設けられた３つの当接部（８５〜８７）を有し、
前記蓋体（９０）は、蓋部（９１）と、前記蓋部（９１）から突出するように設けられて前記第１係合部（８０）の前記貫通孔（８３）に挿通することにより前記第１係合部（８０）に係合する第１掛部（９２）と、前記第２係合部（８４）に係合する第２掛部（９４）とを有し、
前記第２掛部（９４）は、前記第２係合部（８４）の前記３つの当接部（８５〜８７）それぞれに対応する３つの対応当接部（９５〜９７）を有し、前記３つの対応当接部（９５〜９７）のうちの中央に配置される対応当接部（９６）が、前記３つの当接部（８５〜８７）のうちの中央に配置される当接部（８６）の外面に当接し、前記３つの対応当接部（９５〜９７）のうちの両側に配置される２つの対応当接部（９５，９７）が、前記３つの当接部（８５〜８７）のうちの両側の当接部（８５，８７）の内面にそれぞれ当接することにより、前記第２係合部（８４）と前記第２掛部（９４）とが互いに係合する
空気調和機の室内機。
【請求項３】
請求項１または請求項２に記載の空気調和機の室内機（１）において、
前記ケース本体（７０）の前記第１係合部（８０）は、外方へ向かうように折り曲げられた突出部（８１）を有し、前記突出部（８１）には、折り目（８２）に沿う前記貫通孔（８３）が設けられ、
前記蓋体（９０）の前記第１掛部（９２）は、前記蓋体（９０）の前記蓋部（９１）の内面側に膨出する断面円弧のものとして構成され、前記第１係合部（８０）の前記貫通孔（８３）に挿通する
空気調和機の室内機。
【発明の詳細な説明】
【技術分野】
【０００１】
本発明は、空気調和機の室内機について、その制御ユニットを収容する電装品箱の構造に関する。
【背景技術】
【０００２】
熱交換器と、この熱交換器の側方に配置される制御ユニットとを備える空気調和機の室内機が知られている（特許文献１参照）。
制御ユニットの電装品箱は、ケース本体と、ケース本体の開口部を塞ぐ蓋体とを備える。蓋体は、ケース本体に対して取り外し可能とされている。蓋体の取り外しにより、電装品箱内に配置されている制御回路の調整が可能となっている。
【先行技術文献】
【特許文献】
【０００３】
【特許文献１】特開２０１０−２６１６０５号公報
【発明の概要】
【発明が解決しようとする課題】
【０００４】
図１０に、従来の電装品箱の一例を示す。図１０に示すように、電装品箱のケース本体２１０の下板には爪２２０が設けられ、蓋体２３０には貫通孔２４０が設けられている。ケース本体２１０の下板の爪２２０に蓋体２３０の貫通孔２４０を係合させることで、ケース本体２１０に蓋体２３０を取り付ける。しかし、このような構成の場合、ケース本体２１０の下板は、室内機の下部に設けられた底フレーム等に面するため、下板の爪２２０が隠れる。このため、作業者は、ケース本体２１０の爪２２０を視認することができず、ケース本体２１０の爪２２０と蓋体２３０の貫通孔２４０とを係合させる作業に手間がかかっている。
【０００５】
本発明はこのような事情に鑑みてなされたものであり、その目的は、制御ユニットの電装品箱について、そのケース本体に蓋体を容易に取り付けることができる空気調和機の室内機を提供することにある。
【課題を解決するための手段】
【０００６】
課題を解決する空気調和機の室内機は、熱交換器と、前記熱交換器の側方に配置される制御ユニットとを備え、前記制御ユニットの電装品箱は、開口部を有するケース本体と、前記ケース本体の開口部の少なくとも一部分を塞ぐ蓋体とを有し、前記ケース本体の開口部の周縁には係合部が設けられ、この係合部は、貫通孔を有し、かつ外方へ突出するものであり、前記蓋体は、蓋部と、この蓋部から突出するように設けられて前記係合部の前記貫通孔に挿通することにより前記係合部に係合する掛部とを有する。
【０００７】
この構成では、ケース本体の開口部の周縁にすなわち作業者が視認しやすいところに係合部を設けている。また、貫通孔に掛部を挿入するという簡単な操作により係合部と掛部とを互いに係合させる。このため、従来構造に比べて、蓋体をケース本体に容易に取り付けることができる。
【００１０】
上記構成の空気調和機の室内機において、前記係合部を第１係合部とし、前記掛部を第１掛部とした場合に、前記ケース本体には、前記第１係合部とは別の第２係合部が設けられ、前記蓋体には、前記第２係合部に係合する第２掛部が設けられていることが好ましい。この構成によれば、ケース本体と蓋体とは２箇所で係合される。このため、ケース本体から蓋体が外れることが抑制される。
【００１１】
上記構成の空気調和機の室内機において、前記第２係合部は、前記開口部の周縁に並列するように設けられた３つの当接部を有し、前記第２掛部は、前記第２係合部の３つの当接部に対応する３つの対応当接部を有し、前記３つの対応当接部のうちの中央に配置される対応当接部が、前記３つの当接部のうちの中央に配置される当接部の内面に当接し、前記３つの対応当接部のうちの両側に配置される２つの対応当接部が、前記３つの当接部のうちの両側の当接部の外面にそれぞれ接することにより、第２係合部と第２掛部とが互いに係合することが好ましい。
【００１２】
また、上記構成の空気調和機の室内機において、前記第２係合部は、前記開口部の周縁に並列するように設けられた３つの当接部を有し、前記第２掛部は、前記第２係合部の３つの当接部に対応する３つの対応当接部を有し、前記３つの対応当接部のうちの中央に配置される対応当接部が、前記３つの当接部のうちの中央に配置される当接部の外面に当接し、前記３つの対応当接部のうちの両側に配置される２つの対応当接部が、前記３つの当接部のうちの両側の当接部の内面にそれぞれ当接することにより、第２係合部と第２掛部とが互いに係合するように構成してもよい。
【００１３】
これらの構成によれば、ケース本体の３つの当接部と蓋体の３つの対応当接部との係合において、ケース本体の中央の当接部に加わる力とその両側の当接部に加わる力とは互いに反対方向になる。このため、ケース本体において３つの当接部が設けられている部分には曲り応力が生じる。また同様に、蓋体の中央の対応当接部に加わる力とその両側の対応当接部に加わる力とは互いに反対方向になる。このため、蓋体において３つの対応当接部が設けられている部分には曲り応力が生じる。このようにして、第２係合部と第２掛部とは互いに曲がり応力を作用させて係合する。このようなことから、両者の係合が外れにくくなっている。
上記構成の空気調和機の室内機において、前記ケース本体の前記第１係合部は、外方へ向かうように折り曲げられた突出部を有し、前記突出部には、折り目に沿う前記貫通孔が設けられ、前記蓋体の前記第１掛部は、前記蓋体の前記蓋部の内面側に膨出する断面円弧のものとして構成され、前記第１係合部の前記貫通孔に挿通するものであることが好ましい。
この構成では、掛部は、蓋部の内面側に膨出する断面円弧のものとして構成されている。このため、ケース本体に対して蓋体を回転させる操作における掛部と係合部との係合の外れを抑制することができる。
【発明の効果】
【００１４】
上記構成に係る空気調和機の室内機は、制御ユニットの電装品箱について、そのケース本体に蓋体を容易に取り付けることができる。
【図面の簡単な説明】
【００１５】
【図１】室内機の正面図。
【図２】図１のＡ−Ａ線に沿う断面図。
【図３】室内機の内部構造を示す斜視図。
【図４】電装品箱のケース本体を示す斜視図。
【図５】電装品箱のケース本体について、図５（Ａ）は図４の矢印Ｘ１方向からみた図、図５（Ｂ）は図４の矢印Ｘ２方向からみた図。
【図６】電装品箱の蓋体を示す斜視図。
【図７】電装品箱の蓋体について、図７（Ａ）は図６の矢印Ｙ１方向からみた図、図７（Ｂ）は図６の矢印Ｙ２方向からみた図。
【図８】図８（Ａ）は蓋を開いた状態における第１係合部と第１掛部との係合状態を示す断面図、図８（Ｂ）は蓋を閉じる途中状態における第１係合部と第１掛部との係合状態を示す断面図、図８（Ｃ）は蓋を閉じた状態における第１係合部と第１掛部との係合状態を示す断面図。
【図９】第２係合部と第２掛部との係合関係を示す斜視図。
【図１０】従来の電装品箱について、蓋を取り付けるときの様子を示す断面図。
【発明を実施するための形態】
【００１６】
図１〜図３を参照して、空気調和機の室内機１の一例を説明する。
これ以降、室内機１において図１に示される面（前面パネル４０側の面）を室内機１の正面として説明する。また、室内機１において前面パネル４０を前側とし、その反対側を後側とする。さらに、室内機１を正面視して左手側を室内機１の「左側」とし、右手側を室内機１の「右側」というものとする。
【００１７】
図１に示すように、室内機１は、正面視で横長の矩形を呈する。この室内機１は壁掛け型であり、壁に取り付けられる。
また、図２に示すように、室内機１は、熱交換器３と、クロスフローファン４と、モータユニット５（図１参照）と、制御ユニット６（図１参照）と、これら機器を収容する室内機ケーシング２とを備える。
【００１８】
図２に示すように、室内機ケーシング２は、底フレーム１０と、ケーシング２０と、ケーシング２０に開閉可能に取り付けられる前面パネル４０とを備える。底フレーム１０の下方に設けられる空気吹出口１１には風向調節羽根８が取り付けられている。
【００１９】
熱交換器３は、通過する空気と熱交換する。熱交換器３は、クロスフローファン４の上側を覆うように構成される。具体的には、熱交換器３は、クロスフローファン４の後側から前側にわたるように配置され、断面視で逆Ｖ字に類似する形状に構成される。
【００２０】
クロスフローファン４は、熱交換器３に対応して配置される。例えば、図３に示すように、クロスフローファン４は、熱交換器３の下側に配置される。
図１に示すように、クロスフローファン４の一方の端面には、モータユニット５が取り付けられている。モータユニット５は、クロスフローファン４を回転させる。モータユニット５は、例えば、アウターロータ型モータにより構成される。
【００２１】
制御ユニット６は、空気調和機の運転制御に係わるものであり、制御回路を収容する電装品箱７を備えている。
電装品箱７は、ショート等の発火に起因する燃焼の拡大を抑制するものであり、金属板で形成されている。
【００２２】
図３に示すように、電装品箱７は、ケース本体７０と、蓋体９０とを備えている。このケース本体７０に制御回路が配置される。ケース本体７０は、図３に示すように開口部７０ａが外側に向くように配置される。蓋体９０はケース本体７０の開口部７０ａを塞ぐ。
【００２３】
図４及び図５を参照して、電装品箱７のケース本体７０について説明する。
図４に示すように、ケース本体７０は、側板７１と、上板７２と、下板７３と、後板７４と、上方前板７５と、下方前板７６とを備える。ケース本体７０は、図３に示すように、室内機１において側板７１が立設するように配置される。側板７１は、制御回路が配置されるものであり、略矩形に構成される。ここで、側板７１の各辺の名称を次のように定義する。室内機１に配置された制御ユニット６の姿勢を基準として、上方に配置される辺を「上辺７１ａ」といい、下方に配置される「下辺７１ｄ」といい、後方に配置される辺を「後辺７１ｂ」といい、前方に配置される辺を「前辺７１ｃ」という。
【００２４】
上板７２は、側板７１の上辺７１ａから垂直に延びる。上板７２は、室内機１において上方に配置される。
下板７３は、側板７１の下辺７１ｄから垂直に延びる。下板７３は、室内機１において下方に配置される。
【００２５】
後板７４は、側板７１の後辺７１ｂから垂直に延びる。後板７４は、室内機１において後方に配置される。上方前板７５は、側板７１の前辺７１ｃの上部から垂直に延びる。上方前板７５は、室内機１において前方に配置される。下方前板７６は、側板７１の前辺７１ｃの下部から垂直に延びる。下方前板７６は、室内機１において前方に配置される。
【００２６】
ケース本体７０の開口部７０ａは、蓋体９０の蓋部９１の縁部（上辺９１ａ、下辺９１ｄ、後辺９１ｂ及び前辺９１ｃを含む部分。図６参照。）に対応する部分として定義される。図４に示す例では、ケース本体７０の開口部７０ａは、上板７２の端縁７２ａ、後板７４の端縁７４ａ，及び下板７３の端縁７３ａによって構成される。なお、ケース本体７０に蓋体９０を取り付けたとき、上方前板７５と下方前板７６との間は開口するが、この部分には、図３に示されるように他の部品が配置される。
【００２７】
ケース本体７０は、蓋体９０を係合させるための係合構造を有する。具体的には、ケース本体７０において下板７３の端縁７３ａには第１係合部８０が設けられている。ケース本体７０において上板７２の端縁７２ａには第２係合部８４が設けられている。第１係合部８０と第２係合部８４とは、開口部７０ａにおいて互いに対向する位置に配置されている。
【００２８】
第１係合部８０は、蓋体９０の第１掛部９２（図８参照）と係合する。第１係合部８０は、下板７３の端縁７３ａから外方にかつこの下板７３に対して垂直に延びる突出部８１と、この突出部８１に設けられた貫通孔８３とを有する。突出部８１は、図５（Ｂ）に示すように下板７３の延長部の折り曲げにより形成される。貫通孔８３は、図５（Ａ）に示すように、突出部８１の折り目８２に沿うよう形成されている。
【００２９】
第２係合部８４は、第１当接部８５と、第２当接部８６と、第３当接部８７とを有する。第１当接部８５、第２当接部８６及び第３当接部８７は、上板７２の一部として構成されるものであり、開口部７０ａの周縁に沿うように並列されている。ここで、第１当接部８５及び第３当接部８７を、これら当接部８５〜８７のうちで両側に配置されるものとし、第２当接部８６を第１当接部８５と第３当接部８７との間に配置されるものとする。
【００３０】
第１当接部８５は、蓋体９０の第１対応当接部９５が当接する部分である。第２当接部８６は、蓋体９０の第２対応当接部９６が当接する部分である。第３当接部８７は、蓋体９０の第３対応当接部９７が当接する部分である。
【００３１】
第２当接部８６には、蓋体９０の第２対応当接部９６を第２当接部８６に案内するガイド部８６ａが設けられている。ガイド部８６ａは、上板７２の端縁７２ａを外方にかつ斜めに折り曲げることにより形成される。
【００３２】
第１当接部８５及び第３当接部８７は、上板７２における端縁７２ａを含む部分として構成されている。また、第１当接部８５の外面及び第３当接部８７の外面には凸部８８ａ，８８ｂが設けられている。この凸部８８ａ，８８ｂは、蓋体９０の第２掛部９４に設けられている貫通孔９８ａ，９８ｂと係合する。
【００３３】
図６及び図７を参照して、電装品箱７の蓋体９０について説明する。
蓋体９０は、板状の蓋部９１と、ケース本体７０の第１係合部８０と係合する第１掛部９２と、ケース本体７０の第２係合部８４と係合する第２掛部９４と、ケース本体７０の上方前板７５に当接する上当接板１０１と、ケース本体７０の下方前板７６に当接する下当接板１０２とを有する。
【００３４】
蓋部９１は、ケース本体７０の開口部７０ａに対応する形状に構成される。本実施形態では、ケース本体７０の開口部７０ａが矩形であるため、蓋部９１も矩形に形成されている。ここで、蓋部９１の各辺の名称を次のように定義する。室内機１に配置された制御ユニット６の姿勢を基準として、上方に配置される辺を「上辺９１ａ」といい、下方に配置される「下辺９１ｄ」といい、後方に配置される辺を「後辺９１ｂ」といい、前方に配置される辺を「前辺９１ｃ」という。また、蓋部９１において、ケース本体７０の側板７１に対向する面を「内面９１ｅ」といい、内面の反対側の面を「外面９１ｆ」というものとする。
【００３５】
第１掛部９２は、蓋部９１の下辺９１ｄから外方に突出するように設けられている。また、第１掛部９２は、ケース本体７０の第１係合部８０の貫通孔８３に挿通する形状を有する。具体的には、第１掛部９２の幅Ｗａは、貫通孔８３の幅Ｗｂ（図５（Ａ）参照）よりも小さい。
【００３６】
また、第１掛部９２は、下辺９１ｄに垂直な面における断面構造において、蓋部９１の内面９１ｅ側に膨出する円弧をなす。すなわち、第１掛部９２は、図７（Ａ）及び図７（Ｂ）に示すように、下辺９１ｄと平行な線を中心軸として有する半円筒形の突出部として構成される。そして、半円筒形を構成する突出部の直径Ｄは、図８（Ｃ）に示すように、ケース本体７０の第１係合部８０に設けられる貫通孔８３の周縁部幅Ｗｃ（貫通孔８３を囲む周縁部のうちの外側部の幅）よりも大きい。
【００３７】
第２掛部９４は次の構成を有する。
第２掛部９４は、ケース本体７０の第１当接部８５に当接する第１対応当接部９５と、ケース本体７０の第２当接部８６に当接する第２対応当接部９６と、ケース本体７０の第３当接部８７に当接する第３対応当接部９７とを有する。
【００３８】
第１対応当接部９５、第２対応当接部９６及び第３対応当接部９７は、蓋部９１の上辺９１ａから垂直に突出するように設けられ、並列するように配置されている。ここで、第１対応当接部９５及び第３対応当接部９７を、これら対応当接部９５〜９７のうちで両側に配置されるものとし、第２対応当接部９６を第１対応当接部９５と第３対応当接部９７との間に配置されるものとする。
【００３９】
第１及び第３対応当接部９５，９７それぞれには、その先端にガイド部９５ａ，９７ａが設けられている。ガイド部９５ａ，９７ａは、図７（Ａ）及び図７（Ｂ）に示すように、第１対応当接部９５及び第３対応当接部９７の先端部を外方にかつ斜めに折り曲げることにより形成される。
【００４０】
第１対応当接部９５のガイド部９５ａは、ケース本体７０の第１当接部８５を第１対応当接部９５の内面に案内する。第３対応当接部９７のガイド部９７ａは、ケース本体７０の第３当接部８７を第３対応当接部９７の内面に案内する。
【００４１】
また、第１対応当接部９５及び第３対応当接部９７それぞれには貫通孔９８ａ，９８ｂが設けられている。
第１対応当接部９５の貫通孔９８ａは、ケース本体７０の第１当接部８５の凸部８８ａと係合する。
【００４２】
第３対応当接部９７の貫通孔９８ｂは、ケース本体７０の第３当接部８７の凸部８８ｂと係合する。
図８（Ａ）〜図８（Ｃ）を参照して、ケース本体７０の第１係合部８０と蓋体９０の第１掛部９２との係合について、その作用を説明する。なお、図８（Ａ）〜図８（Ｃ）は、図３の矢印Ｂで指す部分の拡大断面図である。
【００４３】
図８（Ａ）に示すように、ケース本体７０に蓋体９０を取り付ける際、ケース本体７０に対して蓋体９０を開いた状態に配置し、蓋体９０の第１掛部９２の先端部９３をケース本体７０の第１係合部８０の貫通孔８３に対応する位置に配置する。そして、図８（Ｂ）に示すように、蓋体９０を、ケース本体７０の下辺７１ｄに平行な軸を中心軸として回転する。そうすると、第１掛部９２の先端部９３が第１係合部８０の貫通孔８３に挿通する。更に、図８（Ｃ）に示すように、ケース本体７０の開口部７０ａが蓋体９０によって塞がれるようになるまで蓋体９０を回転すると、第１掛部９２の略全部が第１係合部８０の貫通孔８３に挿通するようになる。
【００４４】
このように、本実施形態に係る電装品箱７では、ケース本体７０に蓋体９０を取り付ける際、第１掛部９２の先端部９３を第１係合部８０の貫通孔８３に対応する位置に配置する。このとき、作業者は、ケース本体７０の第１係合部８０の貫通孔８３を確認する必要がある。従来の電装品箱では、図１０に示したように、下板に係合部としての爪２２０が設けられていたため、この爪２２０が他の部品に隠れて目視しづらいといった事情がある。これに対して、本実施形態に係る電装品箱７では、第１係合部８０はケース本体７０の開口部７０ａの周縁に設けられているため、第１係合部８０を目視で確認することができ、これによって、蓋体９０の第１掛部９２をケース本体７０の第１係合部８０に容易に係合させることができる。また、目視で第１係合部８０を確認することができることから、蓋体９０の第１掛部９２とケース本体７０の第１係合部８０との係合が失敗したことについても容易に確認することができる。よって、蓋体９０の第１掛部９２とケース本体７０の第１係合部８０との係合の失敗を見逃すといったことが抑制される。
【００４５】
更に、蓋体９０の第１掛部９２は、円弧状に構成されたものであるため、第１掛部９２が単なる板状の突起のものに比べて、第１掛部９２と第１係合部８０との係合が外れにくくなっている。以下、この点について説明する。
【００４６】
第１掛部９２が単なる板状の突起である場合、蓋体９０をその蓋部９１の面に沿う方向に移動すると、板状の突起としての第１掛部９２は第１係合部８０の貫通孔８３から簡単に抜ける。これに対して、円弧状の第１掛部９２では、蓋体９０をその蓋部９１の面に沿う方向に移動すると、第１掛部９２の先端部９３が第１係合部８０の貫通孔８３の周縁部に当接し、その移動が阻害される。このように、板状の突起としての第１掛部９２に比べて、本実施形態の第１掛部９２は第１係合部８０の貫通孔８３から抜けにくいものとなっている。
【００４７】
図９を参照して、ケース本体７０の第２係合部８４と蓋体９０の第２掛部９４との係合について、その作用を説明する。
ケース本体７０の第２係合部８４と蓋体９０の第２掛部９４との係合は、電装品箱７において、ケース本体７０の第１係合部８０と蓋体９０の第１掛部９２との係合とは反対側の位置にある。両係合により、ケース本体７０と蓋体９０とが強固に係合する。このため、ケース本体７０から蓋体９０が自然に開くことが抑制される。
【００４８】
また、上記で説明したように、ケース本体７０の第２係合部８４は、並列する３つの当接部８５〜８７により構成され、これに対応するように、蓋体９０の第２掛部９４は、並列する３つの対応当接部９５〜９７により構成されている。
【００４９】
そして、ケース本体７０の第２係合部８４と蓋体９０の第２掛部９４との係合においては、蓋体９０の第２掛部９４の両外側にある第１及び第３対応当接部９５，９７が、ケース本体７０の第２係合部８４の両外側にある第１及び第３当接部８５，８７の外面に当接する。また、蓋体９０の第２掛部９４の中央にある第２対応当接部９６が、ケース本体７０の第２係合部８４の中央にある第２当接部８６の内面に当接する。
【００５０】
すなわち、ケース本体７０の第２係合部８４において、中央の第２当接部８６に加わる力とその両側にある第１及び第３当接部８５，８７に加わる力とは互いに反対方向になる。このため、ケース本体７０において３つの当接部８５〜８７が設けられている部分には曲り応力が生じる。また同様に、蓋体９０の第２掛部９４において、中央にある第２対応当接部９６に加わる力とその両側にある第１及び第３対応当接部９５，９７に加わる力とは互いに反対方向になる。このため、蓋体９０において３つの対応当接部９５〜９７が設けられている部分には曲り応力が生じる。
【００５１】
このようにして、ケース本体７０の第２係合部８４と蓋体９０の第２掛部９４とは互いに曲がり応力を作用させて係合する。第２係合部８４の曲がり応力と第２掛部９４の曲がり応力は、当接部８５〜８７と対応当接部９５〜９７とを互いに接近させるため、両者の係合が強くなる。これによって、ケース本体７０から蓋体９０が外れにくくなる。
【００５２】
更に、上記で説明したように、ケース本体７０の第２係合部８４の中央にある第２当接部８６には、蓋体９０の第２対応当接部９６を案内するガイド部８６ａが設けられる。また、蓋体９０の第２掛部９４の両側にある第１及び第３対応当接部９５，９７には、ケース本体７０の第１及び第３当接部８５，８７を案内するガイド部９５ａ，９７ａが設けられている。
【００５３】
このため、蓋体９０を回転させるようにしてケース本体７０の開口部７０ａを閉じる操作によってケース本体７０の第２係合部８４と蓋体９０の第２掛部９４とを互いに接近させると、ケース本体７０の第２係合部８４と蓋体９０の第２掛部９４とが円滑に係合する。すなわち、図９に示すように、蓋体９０の中央にある第２対応当接部９６がケース本体７０の中央にある第２当接部８６の内側に導かれ、蓋体９０の両側にある第１及び第３対応当接部９５，９７がケース本体７０の両側にある第１及び第３当接部８５，８７の外側に導かれる。このように、ケース本体７０に対して蓋体９０を閉じる操作によって、ケース本体７０と蓋体９０とを適切な状態で互いに係合させることができる。
【００５４】
以下、本実施形態の効果を説明する。
（１）実施形態に係る室内機１の制御ユニット６の電装品箱７は、開口部７０ａを有するケース本体７０と、この開口部７０ａの少なくとも一部分を塞ぐ蓋体９０とを有する。ケース本体７０の開口部７０ａの周縁には第１係合部８０が設けられている。第１係合部８０は、貫通孔８３を有し、かつ外方へ突出するものである。蓋体９０は、蓋部９１と、第１掛部９２とを備える。第１掛部９２は、蓋部９１から突出するように設けられ第１係合部８０の貫通孔８３に挿通することによって第１係合部８０に係合する。
【００５５】
この構成では、ケース本体７０の開口部７０ａの周縁にすなわち作業者が視認しやすいところに第１係合部８０を設けている。また、第１係合部８０の貫通孔８３に第１掛部９２を挿入するという簡単な操作により第１係合部８０と第１掛部９２とを互いに係合させる。このため、従来構造に比べて、蓋体９０をケース本体７０に容易に取り付けることができる。
【００５６】
（２）上記構成において、第１係合部８０及び第１掛部９２は次のように構成される。図８（Ａ）に示すように、第１係合部８０は、外方へ向かうように折り曲げられた突出部８１を有する。突出部８１には、折り目８２に沿う貫通孔８３が設けられる。第１掛部９２は、蓋部９１の内面９１ｅ側に膨出する断面円弧のものとして構成され、第１係合部８０の貫通孔８３に挿通する。
【００５７】
この構成では、第１掛部９２は、蓋部９１の内面９１ｅ側に膨出する断面円弧のものとして構成されている。このため、ケース本体７０に対して蓋体９０を回転させる操作における第１掛部９２と第１係合部８０との係合の外れを抑制することができる。
【００５８】
（３）上記構成において、図９に示すように、ケース本体７０には、更に、第２係合部８４が設けられ、蓋体９０には、第２係合部８４に係合する第２掛部９４が設けられていることが好ましい。この構成によれば、ケース本体７０と蓋体９０とは２箇所で係合される。このため、ケース本体７０から蓋体９０が外れることが抑制される。
【００５９】
（４）上記構成において、第２係合部８４及び第２掛部９４は、例えば図９に示されるように構成される。
第２係合部８４は、開口部７０ａの周縁に並列するように設けられた３つの当接部８５〜８７を有する。第２掛部９４は、第２係合部８４の３つの当接部８５〜８７に対応する３つの対応当接部９５〜９７を有する。３つの対応当接部９５〜９７のうちの中央に配置される第２対応当接部９６が、３つの当接部８５〜８７のうちの中央に配置される第２当接部８６の内面に当接する。また、３つの対応当接部９５〜９７のうちの両側に配置される２つの第１及び第３対応当接部９５，９７が、３つの当接部８５〜８７のうちの両側の第１及び第３当接部８５，８７の外面にそれぞれ当接する。このように、第２係合部８４と第２掛部９４とを互いに係合させる。
【００６０】
（５）なお、この構成は、次のように、第２係合部８４と第２掛部９４との係合関係を逆の構造にすることも可能である。
第２係合部８４は、開口部７０ａの周縁に並列するように設けられた３つの当接部８５〜８７を有する。第２掛部９４は、第２係合部８４の３つの当接部８５〜８７に対応する３つの対応当接部９５〜９７を有する。３つの対応当接部９５〜９７のうちの中央に配置される第２対応当接部９６が、３つの当接部８５〜８７のうちの中央に配置される第２当接部８６の外面に当接する。また、３つの対応当接部９５〜９７のうちの両側に配置される２つの第１及び第３対応当接部９５，９７が、３つの当接部８５〜８７のうちの両側の第１及び第３当接部８５，８７の内面にそれぞれ当接する。このように、第２係合部８４と第２掛部９４とを互いに係合させる。
【００６１】
これらの構成によれば、ケース本体７０の３つの当接部８５〜８７と蓋体９０の３つの対応当接部９５〜９７との係合において、ケース本体７０の中央の第２当接部８６に加わる力とその両側の第１及び第３当接部８５，８７に加わる力とは互いに反対方向になる。このため、ケース本体７０において３つの当接部８５〜８７が設けられている部分には曲り応力が生じる。また同様に、蓋体９０の中央の第２対応当接部９６に加わる力とその両側の第１及び第３対応当接部９５，９７に加わる力とは互いに反対方向になる。このため、蓋体９０において３つの対応当接部９５〜９７が設けられている部分には曲り応力が生じる。このようにして、第２係合部８４と第２掛部９４とは互いに曲がり応力を作用させて係合する。このようなことから、両者の係合が外れにくくなっている。
【００６２】
（他の実施形態）
なお、実施態様は上記に示した態様に限られるものではなく、これを例えば以下に示すように変更して実施することもできる。
【００６３】
・上記実施形態では、第１係合部８０は下板７３から板状の突出部８１（図８（Ａ）参照。）を有するが、この突出部８１の形態は板状に限定されない。例えば、突出部８１を円弧状に構成してもよい。
【００６４】
・上記実施形態では、第１係合部８０は、１つの突出部８１と、突出部８１に設けられた１つの貫通孔８３とを有するが、第１係合部８０は次のように構成してもよい。例えば、第１係合部８０は、複数個の突出部８１と、突出部８１それぞれに設けられる貫通孔８３とを有するものとして構成される。この場合、各貫通孔８３に対応するように、蓋体９０に第２掛部９４を設けることが好ましい。
【００６５】
・更に、第１係合部８０を次の構成とすることもできる。第１係合部８０は、１つの突出部８１と、突出部８１に設けられる複数個の貫通孔８３とを有するものとして構成される。この場合も、各貫通孔８３に対応するように、蓋体９０に第２掛部９４を設けることが好ましい。
【００６６】
・上記実施形態では、第１掛部９２は半円筒形に構成されているが、第１掛部９２の形態はこれに限定されない。例えば、第１掛部９２は、下辺９１ｄに垂直な面の断面構造において、円弧に類似する形状、例えば、楕円形や八角形の一部を切り欠いたものとして構成することもできる。
【００６７】
・上記実施形態では、電装品箱７の下側に第１係合部８０及び第１掛部９２を設け、その反対側に第２係合部８４と第２掛部９４を設けているが、これらの配置はこれに限定されない。例えば、電装品箱７の上側に第１係合部８０及び第１掛部９２を設け、その反対側に第２係合部８４と第２掛部９４を設ける構成としてもよい。また、電装品箱７の後側に第１係合部８０及び第１掛部９２を設け、その反対側に第２係合部８４と第２掛部９４を設ける構成としてもよい。
【符号の説明】
【００６８】
１…室内機、２…室内機ケーシング、３…熱交換器、４…クロスフローファン、５…モータユニット、６…制御ユニット、７…電装品箱、８…風向調節羽根、１０…底フレーム、１１…空気吹出口、２０…ケーシング、４０…前面パネル、７０…ケース本体、７０ａ…開口部、７１…側板、７１ａ…上辺、７１ｂ…後辺、７１ｃ…前辺、７１ｄ…下辺、７２…上板、７２ａ…端縁、７３…下板、７３ａ…端縁、７４…後板、７４ａ…端縁、７５…上方前板、７６…下方前板、８０…第１係合部、８１…突出部、８２…折り目、８３…貫通孔、８４…第２係合部、８５…第１当接部、８６…第２当接部、８６ａ…ガイド部、８７…第３当接部、８８ａ…凸部、８８ｂ…凸部、９０…蓋体、９１…蓋部、９１ａ…上辺、９１ｂ…後辺、９１ｃ…前辺、９１ｄ…下辺、９１ｅ…内面、９１ｆ…外面、９２…第１掛部、９３…先端部、９４…第２掛部、９５…第１対応当接部、９５ａ…ガイド部、９６…第２対応当接部、９７…第３対応当接部、９７ａ…ガイド部、９８ａ…貫通孔、９８ｂ…貫通孔、１０１…上当接板、１０２…下当接板、２１０…ケース本体、２２０…爪、２３０…蓋体、２４０…貫通孔。
【図１】
0005949751.tif 000002
【図２】
0005949751.tif 000003
【図３】
0005949751.tif 000004
【図４】
0005949751.tif 000005
【図５】
0005949751.tif 000006
【図６】
0005949751.tif 000007
【図７】
0005949751.tif 000008
【図８】
0005949751.tif 000009
【図９】
0005949751.tif 000010
【図１０】
0005949751.tif 000011